(57)【要約】  ワイヤレス通信網は、局所的に保存されたパケットゾーン追跡変数に対して移動局により使用されるものと矛盾しない方法で、網とのパケットデータ接続を有する移動局に対するパケットゾーン追跡変数を更新する。その結果、網は網保存および移動機保存パケットゾーン追跡変数間の不整合を低減することにより、不要なリンク再ネゴシエーションの発生を低減する。網ルーティング・エンティティはその移動機のリンクが移動局のドーマントハンドオフにおいて再ネゴシエートされるがハードハンドオフ再ネゴシエーションは行われなければ、移動局に対する保存されたパケットゾーン追跡変数を更新するように構成することができる。エンティティは移動局に対する２つ以上の追跡変数を維持することができ、１つはハードおよびドーマントハンドオフ再ネゴシエーションに対して更新され、１つはドーマントハンドオフ再ネゴシエーションに対して更新されて移動機保存変数をより良く整合させる。ハードハンドオフ中に基地局により第３の追跡変数を通すことができる。
2007500493.tif 000002
【特許請求の範囲】
【請求項１】
複数の移動局とのパケットデータ接続をサポートし、かつ網のパケットゾーン間のその移動局の移動を伴うモビリティイベントがハードハンドオフに対応するかドーマントハンドオフに対応するかの決定に基づいてそれにより維持されるパケットデータ接続の定められた移動局に対する再ネゴシエーションを調節するように構成されたパケットデータ・サービングノードを含むワイヤレス通信網。
【請求項２】
請求項１に記載の網であって、さらに、モビリティイベントに応答して登録メッセージをパケットデータ・サービングノードへ送り、かつ定められたモビリティイベントがハードハンドオフに対応するかドーマントハンドオフに対応するかを決定するのにＰＤＳＮにおいて使用されるハード／ドーマント・ハンドオフタイプ表示を前記登録メッセージ内に含めるように構成されたパケット制御機能を含む網。
【請求項３】
請求項２に記載の網であって、さらに、移動局に対するパケットゾーン追跡変数を保存し、かつ、定められた移動局に対して、さらに、新しいパケットデータ接続が定められた移動局に対して確立されたら対応するパケットゾーン追跡変数を基地局コントローラ自体のアクセス網識別子へ送り、定められた移動局が他の基地局コントローラからハードハンドオフにより受信されたら対応するパケットゾーン追跡変数をもう１つの基地局コントローラから得られた受信値に設定するように構成された基地局コントローラを含む網。
【請求項４】
請求項３に記載の網であって、基地局コントローラは、定められた移動局の前のパケットゾーン位置が受信値から得られるように、受信値をハードハンドオフによる定められた移動局の受信の一部としてＰＣＦへ通すように構成されている網。
【請求項５】
複数のパケットゾーンを有するワイヤレス通信網と移動局間の不要なパケットデータリンク再ネゴシエーションの発生を低減する方法であって、
移動局に関連付けられたハンドオフ関連メッセージ内に含まれる受信パケットゾーン追跡変数がパケットデータリンクを管理する網ルーティングエンティティにおいて維持される保存されたパケットゾーン追跡変数と整合しないことの決定に応答してパケットデータリンクと再ネゴシエートするステップと、
パケットデータリンクがパケットゾーン間の移動局のドーマントハンドオフに応答して再ネゴシエートされれば移動局の現在のパケットゾーンに整合するようにパケットゾーン追跡変数を更新するが、パケットデータリンクがパケットゾーン間の移動局のハードハンドオフに応答して再ネゴシエートされれば更新しないステップと、
を含む方法。
【請求項６】
請求項５に記載の方法であって、パケットデータリンクがパケットゾーン間の移動局のドーマントハンドオフに応答して再ネゴシエートされる場合には保存されたパケットゾーン追跡変数を更新するが、パケットデータリンクがパケットゾーン間の移動局のハードハンドオフに応答して再ネゴシエートされる場合には更新しないステップは、ハンドオフ関連メッセージがドーマントハンドオフを示し、かつパケットデータリンクがハンドオフ関連メッセージの受信に応答して再ネゴシエートされる場合には保存されたパケットゾーン追跡変数を更新するステップを含む方法。
【請求項７】
請求項６記載の方法であって、ルーティング・エンティティは網内にパケットデータ・サービングノードを含み、ハンドオフ関連メッセージはパケットデータ・サービングノードへの網内のパケット制御機能から送られた登録要求メッセージを含み、前記パケット制御機能はパケットデータ・サービングノードを移動局とのワイヤレス通信において無線アクセス網に通信接続する方法。
【請求項８】
請求項７に記載の方法であって、さらに、パケットデータ・サービングノードにおいて、定められたモビリティイベントがハードハンドオフ・イベントであるかドーマントハンドオフ・イベントであるかを登録要求メッセージ内の１つ以上のインジケータの評価に基づいて決定するステップを含む方法。
【請求項９】
請求項８に記載の方法であって、パケット制御機能において、移動局に通信接続される基地局からパケット制御機能へ送られるハンドオフ関連メッセージに応じて、ドーマントハンドオフ・イベントを表示するまたはハードハンドオフ・イベントを表示する１つ以上のインジケータを設定するステップを含む方法。
【請求項１０】
ワイヤレス通信網において使用するシステムであって、前記システムはパケットデータ・サービングノードおよび網とのパケットデータリンクを有する移動局間の不要なパケットデータリンク再ネゴシエーションを低減するように構成された１つ以上の制御回路を含むパケットデータ・サービングノードを含み、前記１つ以上の制御回路は、
移動局に関連付けられたハンドオフ関連メッセージ内に含まれる受信パケットゾーン追跡変数がパケットデータ・サービングノードにおいて維持される保存されたパケットゾーン追跡変数と整合しないことの決定に応答してパケットデータリンクと再ネゴシエートし、
パケットデータリンクがパケットゾーン間の移動局のドーマントハンドオフに応答して再ネゴシエートされる場合には、移動局の現在のパケットゾーンに整合するようにパケットゾーン追跡変数を更新するが、パケットデータリンクがパケットゾーン間の移動局のハードハンドオフに応答して再ネゴシエートされる場合には更新しない、
ように構成されるシステム。
【請求項１１】
請求項１０に記載のシステムであって、パケットデータ・サービングノードは、さらに、移動局とのパケットデータリンクの再ネゴシエーションに応答してフォーリンエージェント・アドバータイズメントを呼び出すように構成されるシステム。
【請求項１２】
請求項１０に記載のシステムであって、パケットデータ・サービングノードはハンドオフ関連メッセージがドーマントハンドオフを示し、かつパケットデータリンクがハンドオフ関連メッセージの受信に応答して再ネゴシエートされる場合には保存されたパケットゾーン追跡変数を更新するように構成されるシステム。
【請求項１３】
請求項１２に記載のシステムであって、さらに、ハンドオフ関連メッセージをパケットデータ・サービングノードに送るように構成され、かつ、ハンドオフ関連メッセージ内に含まれてハンドオフ関連メッセージが移動局のハードハンドオフに対応するか移動局のドーマントハンドオフに対応するかをパケットデータ・サービングノードに表示する１つ以上のメッセージインジケータを設定するように構成されるパケット制御機能を含むシステム。
【請求項１４】
請求項１３に記載のシステムであって、パケットデータ・サービングノードはパケット制御機能により設定された1つ以上のメッセージインジケータの評価に基づいて、パケット制御機能から受信したハンドオフ関連メッセージが移動局のドーマントハンドオフに対応するか、移動局のハードハンドオフに対応するかを決定するように構成されるシステム。
【請求項１５】
複数のパケットデータゾーンを有するワイヤレス通信網と移動局間のパケットデータリンク再ネゴシエーションを低減する方法であって、前記方法は、
パケットゾーン間の移動局のハードハンドオフに応答して第１の追跡変数を選択的に更新し、パケットゾーン間の移動局のドーマントハンドオフに応答して第２の追跡変数を選択的に更新することにより移動局のパケットゾーン移動を追跡する第１および第２の追跡変数を網内に維持するステップと、
移動局のハードハンドオフに対して、第１の追跡変数とハードハンドオフ・モビリティイベントに関連して移動局に対して受信された前のパケットゾーン識別子との比較に基づいてパケットデータリンクの再ネゴシエーションを選択的にトリガするステップと、
移動局のドーマントハンドオフに対して、第２の追跡変数とドーマントハンドオフ・モビリティイベントに関連して移動局に対して受信された前のパケットゾーン識別子との比較に基づいてパケットデータリンクの再ネゴシエーションを選択的にトリガするステップと、
を含む方法。
【請求項１６】
請求項１５に記載の方法であって、さらに、第１の追跡変数を移動局に関連付けられた現在のパケットゾーン識別子へ初期化し、第２の追跡変数をヌル値に初期化するステップを含む方法。
【請求項１７】
請求項１６に記載の方法であって、さらに、移動局のハードハンドオフに対して、第２の追跡値が非ヌルであれば移動局に関連付けられた現在のパケットゾーン識別子と整合するように第２の追跡変数を設定するステップを含む方法。
【請求項１８】
請求項１５に記載の方法であって、移動局のハードハンドオフに対して、第１の追跡変数とハードハンドオフ・モビリティイベントに関連して移動局に対して受信された前のパケットゾーン識別子との比較に基づいてパケットデータリンクの再ネゴシエーションを選択的にトリガするステップは、第１の追跡変数を移動局に対して受信されたハンドオフ関連メッセージ内に含まれる前のパケットゾーン識別子と比較し、その間の不整合に応答してパケットデータリンクの再ネゴシエーションをトリガするステップを含む方法。
【請求項１９】
請求項１８に記載の方法であって、パケットデータリンクの再ネゴシエーションをトリガするステップはワイヤレス通信網内のパケットデータ・サービングノードと移動局間のポイント・ツー・ポイントプロトコル接続再ネゴシエーションを開始するステップを含む方法。
【請求項２０】
請求項１５に記載の方法であって、パケットゾーン間の移動局のハードハンドオフに応答して第１の追跡変数を選択的に更新するステップは、移動局のハードハンドオフに応答して更新された第１の追跡変数を維持するステップを含む方法。
【請求項２１】
請求項１５に記載の方法であって、パケットゾーン間の移動局のドーマントハンドオフに応答して第２の追跡変数を選択的に更新するステップは、第２の追跡変数の初期化後に生じる第１のハードハンドオフに応答して第２の追跡変数を更新し、クオリフィケーション・タイマの時間切れに応答して第２の追跡変数をヌル値にリセットするステップを含む方法。
【請求項２２】
請求項２１に記載の方法であって、さらに、移動局に対するパケットデータリンクに関連付けられた全データ接続がドーマントであるという第１の表示の受信に応答してクオリフィケーション・タイマを始動させるステップを含む方法。
【請求項２３】
請求項１５に記載の方法であって、移動局のパケットゾーン移動を追跡する第１および第２の追跡変数を網内に維持するステップは、第１および第２の追跡変数を保存された値として網内のパケットデータ・サービングノードにおいて維持するステップを含む方法。
【請求項２４】
請求項２３に記載の方法であって、さらに、定められたモビリティイベントに関連付けられた移動局に対してパケットデータ・サービングノードにおいて受信された登録要求メッセージ内に含まれるハンドオフタイプ表示の評価に基づいて、移動局を伴う定められたモビリティイベントが移動局のハードハンドオフに対応するか、ドーマントハンドオフに対応するかを決定するステップを含む方法。
【請求項２５】
請求項２３に記載の方法であって、さらに、パケットデータ・サービングノードを移動局に通信接続する基地局において第３の追跡変数を維持するステップを含み、第３の追跡変数を維持するステップはパケットデータリンクが最初に基地局を介して確立される場合には第３の追跡変数を基地局に対応するアクセス網識別子に設定し、移動局がハードハンドオフにおいてソース基地局から受信される場合には第３の追跡変数を受信値に設定し、ハードハンドオフにおけるターゲット基地局への移動局の転送の一部として追跡変数を送る方法。
【請求項２６】
請求項２５に記載の方法であって、さらに、パケットデータ・サービングノードにおいて、定められたモビリティイベントに関連付けられた移動局に対してパケットデータ・サービングノードにおいて受信された登録要求メッセージ内に第３の追跡変数が含まれるかどうかの決定に基づいて、移動局を伴う定められたモビリティイベントが移動局のハードハンドオフに対応するか、ドーマントハンドオフに対応するかを決定するステップを含む方法。
【請求項２７】
請求項２６に記載の方法であって、さらに、パケット制御機能において、基地局からパケット制御機能に送られたハンドオフ関連メッセージ内に第３の追跡変数が受信される場合には、登録要求メッセージ内に第３の追跡変数を含めるステップを含む方法。
【請求項２８】
複数のパケットデータゾーンを有するワイヤレス通信網において使用するシステムであって、前記システムは網と移動局間のパケットデータリンク再ネゴシエーションを低減するように構成された１つ以上の制御回路を含むパケットデータ・サービングノードを含み、前記１つ以上の制御回路は、
パケットゾーン間の移動局のハードハンドオフに応答して第１の追跡変数を選択的に更新し、パケットゾーン間の移動局のドーマントハンドオフに応答して第２の追跡変数を選択的に更新することにより移動局のパケットゾーン移動を追跡する第１および第２の追跡変数を網内に維持し、
移動局のハードハンドオフに対して、第１の追跡変数とハードハンドオフ・モビリティイベントに関連して移動局に対して受信された前のパケットゾーン識別子との比較に基づいてパケットデータリンクの再ネゴシエーションを選択的にトリガし、
移動局のドーマントハンドオフに対して、第２の追跡変数とドーマントハンドオフ・モビリティイベントに関連して移動局に対して受信された前のパケットゾーン識別子との比較に基づいてパケットデータリンクの再ネゴシエーションを選択的にトリガする、
ように構成されるシステム。
【請求項２９】
請求項２８に記載のシステムであって、パケットデータ・サービングノードは移動局とのパケットデータリンクがパケットデータ・サービングノードにおいて確立される時に、第１の追跡変数を移動局に関連付けられた現在のパケットゾーン識別子に初期化し、第２の追跡変数をその時ヌル値に初期化するように構成されるシステム。
【請求項３０】
請求項２９に記載のシステムであって、移動局のハードハンドオフに対して、パケットデータ・サービングノードは第２の追跡変数が非ヌルであれば第２の追跡変数を移動局に関連付けられた現在のパケットゾーン識別子と整合するように設定するように構成されるシステム。
【請求項３１】
請求項２８に記載のシステムであって、移動局のハードハンドオフに対して、パケットデータ・サービングノードは第１の追跡変数を移動局に対して受信されたハンドオフ関連メッセージ内に含まれる前のパケットゾーン識別子と比較し、その間の不整合の検出に応答してパケットデータリンクの再ネゴシエーションをトリガするように構成されるシステム。
【請求項３２】
請求項３１に記載のシステムであって、パケットデータ・サービングノードはパケットデータ・サービングノードと移動局間のポイント・ツー・ポイントプロトコル接続再ネゴシエーションを開始してパケットデータリンクの再ネゴシエーションをトリガするように構成されるシステム。
【請求項３３】
請求項２８に記載のシステムであって、パケットデータ・サービングノードは移動局のハードハンドオフに応答して更新された第１の追跡変数を維持するように構成されるシステム。
【請求項３４】
請求項２８に記載のシステムであって、パケットデータ・サービングノードは第２の追跡変数の初期化後に生じる第１のハードハンドオフに応答して第２の追跡変数を更新し、クオリフィケーション・タイマの時間切れに応答して第２の追跡変数をヌル値にリセットするように構成されるシステム。
【請求項３５】
請求項３４に記載のシステムであって、パケットデータ・サービングノードはクオリフィケーション・タイマのその１つ以上の制御回路との動作上の関連を維持するように構成され、パケットデータ・サービングノードは移動局に対するパケットデータリンクに関連付けられた全データ接続がドーマントであるという第１の表示の受信に応答してクオリフィケーション・タイマを始動させるように構成されるシステム。
【請求項３６】
請求項３５に記載のシステムであって、パケットデータ・サービングノードは定められたモビリティイベントに関連付けられた移動局に対してパケットデータ・サービングノードにおいて受信された登録要求メッセージ内に含まれるハンドオフタイプ表示の評価に基づいて、移動局を伴う定められたモビリティイベントが移動局のハードハンドオフに対応するか、ドーマントハンドオフに対応するかを決定するように構成されるシステム。
【請求項３７】
請求項３５に記載のシステムであって、さらに、パケットデータ・サービングノードに通信的に関連付けられ、かつ定められたモビリティイベントがドーマントハンドオフに対応するかハードハンドオフに対応するかに関するパケットデータ・サービングノードへのインジケータとして使用される移動局に対する第３の追跡変数を維持するように構成される基地局を含むシステム。
【請求項３８】
請求項３５に記載のシステムであって、さらに、パケットデータ・サービングノードに通信的に関連付けられ、かつパケットデータリンクが最初に基地局を介して確立される場合には第３の追跡変数を基地局に対応するアクセス網識別子に設定し、移動局がハードハンドオフによりソース基地局から受信される場合には第３の追跡変数を受信値に設定し、ハードハンドオフによるターゲット基地局への移動局の転送の一部として追跡変数を送ることにより第３の追跡変数を維持するように構成される基地局を含むシステム。
【請求項３９】
請求項３８に記載のシステムであって、パケットデータ・サービングノードは定められたモビリティイベントに関連付けられた移動局に対してパケットデータ・サービングノードにおいて受信された登録要求メッセージ内に第３の追跡変数が含まれるかどうかの決定に基づいて、定められたモビリティイベントがハードハンドオフに対応するか、ドーマントハンドオフに対応するかを決定するように構成されるシステム。
【請求項４０】
請求項３９に記載のシステムであって、さらに、基地局をパケットデータ・サービングノードに通信的に接続するパケット制御機能を含み、パケット制御機能は第３の追跡変数が定められたモビリティイベントに関連付けられた基地局からパケット制御機能において受信されれる場合には、第３の追跡変数を登録要求メッセージ内に含めるように構成されるシステム。
【請求項４１】
移動局および複数のパケットゾーンを有するサポーティングワイヤレス通信網間のパケットデータリンクの再ネゴシエーションを低減する方法であって、前記方法は、
第１の追跡変数を移動局の現在のパケットゾーン識別子と整合するように初期化し、かつ第２の追跡変数をヌル値に初期化するステップと、
移動局に対して受信されたハンドオフ関連メッセージがハードハンドオフ・モビリティイベントであるかドーマントハンドオフ・モビリティイベントであるかを決定するステップと、
ハードハンドオフ・モビリティイベントに対して、ハンドオフ関連メッセージ内に含まれた前のパケットゾーン識別子が移動局に対して網において保存された第１の追跡変数と整合しなければ、パケットデータリンク再ネゴシエーションをトリガし、第１の追跡変数をハンドオフ関連メッセージ内に含まれた現在のパケットゾーン識別子と整合するように更新し、非ヌルであれば、第２の追跡変数を前のパケットゾーン識別子と整合するように更新するステップと、
ドーマントハンドオフ・モビリティイベントに対して、クオリフィケーション・タイマが切れておらず、かつ、ハンドオフ関連メッセージ内に含まれた前のパケットゾーン識別子が第２の追跡変数と整合しなければ、パケットデータリンク再ネゴシエーションをトリガし、第１の追跡変数を現在のパケットゾーン識別子と整合するように更新し、第２の追跡変数をヌルとするステップと、
ドーマントハンドオフ・モビリティイベントに対して、クオリフィケーション・タイマが切れておれば、第２の追跡変数をヌルにリセットし、第１の追跡変数が現在のパケットゾーン識別子と整合しなければ、パケットデータリンク再ネゴシエーションをトリガし、第１の追跡変数を現在のパケットゾーン識別子へ更新するステップと、
を含む方法。
【請求項４２】
基地局によりサポートされる移動局に対するパケットゾーン追跡変数を維持するように構成された１つ以上の制御回路を含むワイヤレス通信網内で使用する基地局であって、前記１つ以上の制御回路は、
第１の定められた移動局と最初に確立されるパケットデータ接続に応答して追跡変数を基地局のアクセス網識別子に設定し、その後基地局が第１の定められた移動局基地局をハードハンドオフにより転送すれ場合にはその追跡変数を通し、
ハードハンドオフによる予め定められた第２の移動局の受信に関連付けられたハードハンドオフメッセージ内で追跡変数を受信し、その後基地局が第２の定められた移動局基地局をハードハンドオフにより転送する場合にはその追跡変数を通す、
ように構成されている基地局。
【発明の詳細な説明】
【技術分野】
【０００１】
（関連出願）
本出願は35U.S.C.§119(e)の元で下記の米国仮特許出願、２００３年６月１１日出願の連続出願番号第60/478,116号、２００３年８月１８日出願の連続出願番号第60/495,917号、および２００４年１月９日出願の連続出願番号第60/535,714号に優先権を請求する。これらの出願はその全体が参照としてここに組み入れられている。
【０００２】
（発明の背景）
本発明は一般的にワイヤレス通信網に関連し、特に、このような通信網におけるパケットデータ接続の管理に関する。
【背景技術】
【０００３】
パケット化データサービス重視への切替えにより、現在および計画中のワイヤレス通信網は、移動局が通信網内または通信網間で移動する時に、移動局とのパケットデータ接続を維持できるようにするモビリティ管理機能を含んでいる。たとえば、cdma2000の現在および計画中の反復において、いわゆる「パケットコア網」はインターネットプロトコル（ＩＰ）セントリックルーティングを使用してパケットデータベース登録、ローミング、および転送サービスを提供する。広帯域ＣＤＭＡ等のさまざまな他の既存および計画中のワイヤレス網標準が同様なパケットデータルーティング能力を提供する。
【０００４】
典型的なcdma2000網はいわゆる「パケットゾーン」へ細分され、各ゾーンはパケットデータサービングノード（ＰＤＳＮ）およびパケット制御機能（ＰＣＦ）の一意的組合せにより受け持たれる。各ＰＣＦには１つ以上の基地局（ＢＳ）が関連付けられており、各ＰＣＦの「パケットゾーン」カバレッジはその関連するＢＳの無線カバレッジに「マッピングする」。各ＰＤＳＮは一つまたは多くのＰＣＦをサポートすることができ、典型的に、網は任意数のＰＤＳＮを含むことができる。それにもかかわらず、網と定められた移動局間にパケットデータ接続性を提供する時に、網は移動局とのポイント・ツー・ポイントプロトコル（ＰＰＰ）接続を確立し、ＰＰＰリンクの一端は選択された１つのＰＤＳＮにおいて論理的に固定され、他端は接続された移動局において論理的に固定される。
【０００５】
アクティブパケットデータ呼を有する移動局がＢＳ間ハードハンドオフ（ＨＨＯ）を行う時は、しばしば移動局はパケットゾーン境界も横切しており、それはＢＳ間／ＰＣＦ間ＨＨＯと呼ばれる。このような場合、ターゲットＢＳは新しいＰＣＦ、場合によっては、新しいパケットデータサービングノード（ＰＤＳＮ）との接続を設定しなければならない。
【０００６】
異なるＰＤＳＮへのＨＨＯであれば、各ＰＤＳＮはモバイルＩＰ網インフラストラクチュア内の異なるフォーリンエージェント(Foreign Agent)をエミュレートするため、基本的モビリティイベントは移動局のフォーリン網を変更している。フォーリンエージェントの変更により、ターゲットＰＤＳＮはＰＰＰ再ネゴシエーションを実施して関連するバインディングを更新するエージェント・アドバータイズメント(Agent Advertisement)手順を実施する必要がある。このような手順は、一般的に、移動局の”care of”アドレスを更新することを含み、典型的にはエージェント・アドバータイズメントとエージェント・ソリシテーション(Agent Solicitation)メッセージの交換に基づくエージェント・ディスガバリ(Agent Discovery)処理を伴う。
【０００７】
このようにして、ＰＤＳＮ間移動局ハンドオフはＰＰＰ再ネゴシエーションおよびフォーリンエージェント・アドバータイズメント手順を必要とする。移動局は同じＰＤＳＮのcare of下に留まる、すなわち、ターゲットＢＳ／ＰＣＦおよびソースＢＳ／ＰＣＦは同じＰＤＳＮの元にあるため、逆に、ＰＤＳＮ間移動局ハンドオフは典型的にリンク再ネゴシエーションおよびエージェント・アドバータイズメント手順を必要としない。これらの一般的な要求条件はＨＨＯ（アクティブ接続）および「ドーマント(dormant)」ハンドオフ（ＤＨＯ）の両方に適用され、移動局のデータ接続は使用されない。ＰＰＰリンク再ネゴシエーションおよびエージェント・アドバータイズメントを必要とするハンドオフケース対必要としないケースの認識はパケットゾーン・追跡変数を使用して促進され、それによりＰＤＳＮはモビリティイベントが行われる、すなわち、ある種のハンドオフが行われる移動局の前および現在のパケットゾーン位置を追跡することができる。
【０００８】
たとえば、3rdGeneration Partnership Project 2(3GGP2)により3GPP2 A.S0013としてリリースされた”Interoperability Specification(IOS) for cdma2000 Access Network Interfaces-Part 3 Features”はパケットデータリンクモビリティ管理の状況における”Previous Access Network Identifier”すなわちＰＡＮＩＤおよび”Current Access Network Identifier”すなわちＣＡＮＩＳの使用を説明している。定められた網内の各ＰＣＦはアクセス網識別子（ＡＮＩＤ）により一意的に識別され、それはパケットゾーン識別子（ＰＺＩＤ）、網識別子（ＮＩＤ）、およびシステム識別子（ＳＩＤ）の組合せを含むことができる。このようにして、ＰＡＮＩＤおよびＣＡＮＩＤ情報を使用して網のパケットゾーン間の移動局の動きを追跡することができる。
【０００９】
たとえば、新しい呼設定およびモビリティイベントに対して生じることであるが、一般的に、ＰＤＳＮは定められた移動局に対する登録メッセージを受信すると、その特定の移動局に対するパケットデータ接続を確立しているかどうかを確認する。確立していなければ、ＰＤＳＮは移動局に対する接続を確立する。前の接続が存在すれば、ＰＤＳＮはやはり接続の再ネゴシエーションを実施し、移動局がＰＤＳＮに検出されずにＰＤＳＮのカバレッジエリアから出てまた戻っていることを検証できなければフォーリンエージェント・アドバータイズメントを実施する。このようなチェックは登録メッセージ内で受信されたＰＡＮＩＤ情報と移動局の既存の接続に対してＰＤＳＮにおいて保存されたＰＡＮＩＤ情報との比較に基づいている。
【００１０】
不整合ＰＡＮＩＤ情報が受信される、または、ＰＡＮＩＤ情報が受信されないと、ＰＤＳＮは接続の再ネゴシエーションおよびエージェント・アドバータイズメントが必要であると想定して、このような処理を実施する。ＰＤＳＮにおけるＰＡＮＤ不整合が、移動局は同じＰＤＳＮの元に留まっているがＰＤＳＮ間ハードおよびドーマントハンドオフの１つ以上の特定の組合せが行われた状況において生じることがある程度までは、このような再ネゴシエーションおよびエージェント・アドバータイズメントは不要なシグナリングおよび処理オーバヘッドを表す。
【００１１】
不整合はいくつかの理由に対して生じることがある。特に、既存の網において、ＰＤＳＮは典型的に各移動局のパケットデータ接続に対するＰＡＮＩＤ情報を保存し、移動がドーマントまたはハードハンドオフの状況で生じるかどうかに無関係に、移動局のパケットゾーン移動に応答してその保存されたＰＡＮＩＤを更新する。逆に、移動局に保存されたＰＡＮＩＤ情報は典型的にドーマントハンドオフイベント中に更新されるが、ハードハンドオフ中は更新されない。
【００１２】
特に、ドーマント移動局は各無線セクタまたはアクセス網カバレッジ内で送信された１つ以上のブロードキャストまたはオーバヘッドチャネルを監視してその現在のパケットゾーン位置を識別する。このようにして、ドーマント移動局はブロードキャストされるＡＮＩＤ情報をその保存されたＰＡＮＩＤ情報と周期的に比較することによりパケットゾーン間でドーマントハンドオフが行われていることを認識する。不整合を検出すると、ドーマント移動局は発信メッセージその他の通知を網へ送ってパケットデータ再登録をトリガし、かつその保存されたＰＡＮＩＤ情報をその現在の位置を反映するように更新する。ＰＤＳＮは典型的に移動局に対するその保存されたＰＡＮＩＤをこのドーマント再登録プロセスの一部として更新する。
【００１３】
しかしながら、移動局はアクティブパケットデータ呼内にある時はこれらのブロードキャストチャネルを典型的に監視しない。そのため、定められた移動局により保存されたＰＡＮＩＤ情報はハードハンドオフ中にパケットゾーン間を移動する時に「古臭い」すなわち「陳腐」なものとなる。事実、従来の移動局は典型的に呼が最初に確立された位置のＰＡＮＩＤ値を、その呼の間に行われる後続ハードハンドオフ数に無関係に、保持し呼が終了してドーマントとなる後でのみその情報を更新する。
【発明の開示】
【発明が解決しようとする課題】
【００１４】
簡単に言うと、従来のＰＤＳＮはその保存された追跡変数を移動局のハードおよびドーマントハンドオフの両方に対して更新し、典型的に移動局はそれらの保存された追跡変数をドーマントハンドオフ中に更新するがハードハンドオフ中は更新しない。このようにして、定められたＰＤＳＮにおいて確立されたデータ接続を有する移動局にそのＰＤＳＮの元でハードおよびドーマントハンドオフの組合せ行われる場合に、ＰＤＳＮ保存ＰＡＮＩＤ情報は移動機保存ＰＡＮＩＤ情報と「同期されない」状態となることがある。
【課題を解決するための手段】
【００１５】
（発明の概要）
本発明は典型的なワイヤレス通信網内のルーティング・エンティティ（たとえば、ＰＤＳＮ）におけるモビリティ−イベント処理の一部としてハードおよびドーマントハンドオフ間を区別する装置および方法を提供する。移動局のモビリティイベント再登録の一部として、典型的なＰＣＦはモビリティイベントに関連付けられたハンドオフタイプの表示を含んでいる、すなわち、それらはハードハンドオフイベントに応答して、またはドーマントハンドオフイベントに応答して定められた登録要求メッセージがＰＤＳＮに送られているかどうかをサポーティングＰＤＳＮに示す。
【００１６】
このようにして、ワイヤレス通信網の一実施例では、典型的なＰＣＦはハンドオフタイプ、すなわちハードまたはドーマントハンドオフ、の表示を含むサポーティングＰＤＳＮにモビリティ関連登録メッセージを送る。次に、典型的なＰＤＳＮは登録イベントに関連するハンドオフのタイプを検出し、パケットデータ接続再ネゴシエーションおよびエージェント・アドバータイズメントをトリガするのに使用するアルゴリズムをモビリティイベントがハードハンドオフであるかドーマントハンドオフであるかを条件とする。
【００１７】
このようにして、本発明の１つ以上の実施例は移動局と多数のパケットゾーンを有するサポーティングワイヤレス通信網間の不要なパケットデータリンク再ネゴシエーションの発生を低減する方法を提供する。このような低減は移動機保存追跡情報と矛盾することのないパケットゾーン追跡情報を維持して、網保存および移動機保存パケットゾーン追跡情報間の不整合の発生を低減するような網の適合に基づくことができる。
【００１８】
このようにして、典型的な方法は移動局に関連するハンドオフ関連メッセージ内に含まれる受信パケットゾーン追跡変数がパケットデータリンクを管理する網ルーティングエンティティにおいて維持される保存されたパケットゾーン追跡変数と整合しないことの決定に応じて定められた移動局に対するパケットデータリンクを再ネゴシエートすることを含んでいる。さらに、この方法はパケットゾーン間の移動局のドーマントハンドオフに応答してパケットデータリンクが再ネゴシエートされれば保存されたパケットゾーン追跡変数を移動局の現在のパケットゾーンと整合するように更新するが、パケットゾーン間の移動局のハードハンドオフに応答してパケットデータリンクが再ネゴシエートされれば更新しないステップを含んでいる。
【００１９】
非限定的例として、追跡変数はパケットデータサービングノードに関連付けられるパケットゾーン内で動作する移動局のパケットデータリンクを管理する責任のあるＰＤＳＮ，または網内の同様なルーティングエンティティ、において維持することができる。典型的なcdma2000実施例では、システムはそれによりサポートされる各パケットデータリンクに対してパケットゾーン追跡変数を維持し、さらに異なるパケットゾーンに関連付けられたＰＣＦから送られたＡ１１−登録要求メッセージ（ＰＲＱ）内に含まれる、ＣＶＳＥまたはＮＶＳＥ値等の、１つ以上のインジケータ値の検査に基づいて、これらのパケットデータリンクを有する移動局を伴うモビリティイベントはハードハンドオフであるかドーマントハードハンドオフであるかを決定する。
【００２０】
もう１つの典型的な実施例では、本発明はパケットゾーン間の移動局のハードハンドオフに応答して第１の追跡変数を選択的に更新し、かつパケットゾーン間の移動局のドーマントハンドオフに応答して第２の追跡変数を選択的に更新することにより移動局のパケットゾーン移動を追跡する網内の第１および第２の追跡変数の維持に基づいてパケットデータリンク再ネゴシエーションを低減する方法を含んでいる。移動局のハードハンドオフに対して、パケットデータリンクの再ネゴシエーションは、第１の追跡変数とハードハンドオフ・モビリティイベントに関連して移動局に対して受信された前のパケットゾーン識別子との比較に基づいて選択的にトリガされる。移動局のドーマントハードハンドオフに対して、パケットデータリンクの再ネゴシエーションは第２の追跡変数とドーマントハンドオフ・モビリティイベントに関連して移動局に対して受信された前のパケットゾーン識別子との比較に基づいて選択的にトリガされる。
【００２１】
前記した方法の典型的な実施例に従って、ハンドオフタイプ（ハードまたはドーマント）の明確な表示が網内のルーティングエンティティ、たとえば、ＰＤＳＮに通される。デフォルトにより、第２の変数はヌル値に設定されるが、ルーティングエンティティの制御下のパケットゾーン間の移動局の最初のハードハンドオフにおいて、移動局に関連付けられた前のパケットゾーン・ロケーション識別子に設定される。これら第２の変数は、ハードハンドオフに続いてドーマントとなった後で移動局の第１のドーマントハードハンドオフでいつ非ヌルとなるか調べられる、すなわち、リンク再ネゴシエーション・トリガリングに対して評価される。
【００２２】
第２の変数の非ヌル値はクォリフィケーション・タイマによりガードされ、タイマが切れなければ再ネゴシエーションをトリガするが、タイマが切れればトリガしないかを評価するのに使用される。典型的な実施例では、クォリフィケーション・タイマは移動局に対する「全ドーマント」表示の受信に応答して開始される。このようにして、移動局がタイマの寿命内でドーマントハンドオフされると、第２の変数を使用して再ネゴシエーションおよび、随意、フォーリンエージェント・アドバータイズメントをトリガするかどうか決定する。タイマが切れておれば、再ネゴシエーション比較に第１の追跡変数が使用される。
【００２３】
さらに、１つ以上の典型的な実施例では、網はハンドオフ処理の一部としてソース・ツー・ターゲットＢＳに沿って移動機保存パケットゾーン追跡変数を通すように構成されるＢＳを含むことができる。このようにして、移動機保存パケットゾーン追跡情報、たとえば、移動機保存ＰＡＮＩＤ値をＨＨＯターゲットＢＳにおいて受信し、ターゲットＰＣＦに通し、次に、ターゲットＰＣＦからソースＰＤＳＮと同じとすることができるターゲットＰＤＳＮに通すことができる。このようにして、ターゲットＰＤＳＮは移動機保存追跡変数を使用して１つ以上のそれ自体の追跡変数と比較してパケットデータ接続の再ネゴシエーションが必要かどうかを決定することができる。このようにして、移動局の呼が確立されたパケットゾーンのＡＮＩＤはソース・ツー・ターゲットＢＳへ通されることにより連続的ハードハンドオフを介して移動局を「追従し」、またターゲットＰＤＳＮが使用して同じ移動局を伴う後のドーマントハンドオフイベント中等にリンク再ネゴシエーションが必要かどうかをより確実に決定することができる。
【００２４】
もちろん、本発明は前記した特徴および利点に限定されるものではない。当業者ならば、下記の明細書を読みかつ同じ要素には同じ参照番号が付されている添付図を見れば、本発明のさらなる特徴および利点を認識することができる。
【実施例】
【００２５】
（発明の詳細な説明）
本発明は、パケットデータモビリティ管理の一部として、不要なパケットデータリンク再ネゴシエーションの発生を低減する方法および装置を提供する。本発明の少なくともいくつかの典型的な詳細はcdma2000ベースワイヤレス通信網の状況内で提示されるが、当業者ならば本発明はパケットデータルーティングが１つ以上のパケットデータルーティングゾーンを伴い移動装置がその間を移動する、広帯域ＣＤＭＡ（ＷＣＤＭＡ）網等の、他種の網にも有利に応用できることがお判りであろう。
【００２６】
図１には典型的なワイヤレス通信網１０が例示されており、それは本発明の１つ以上の実施例に従って構成されており、移動局１２をインターネット等の１つ以上のパケットデータ網（ＰＤＮ）１４と通信接続する。検討を容易にするため１つの移動局１２しか例示されていないが、網１０は任意の定められた時間に潜在的に多数の移動局１２をサポートできることを理解しなければならない。
【００２７】
典型的な網１０は１つ以上の構内ＩＰ網１８を介してＰＤＮ１４に接続される１つ以上のＰＤＳＮ１６を含んでいる。網１０は、さらに、１つ以上のＰＣＦ２０，ＢＳＣ２２，無線基地局（ＲＢＳ）２４、およびＭＳＣ２６を含んでいる。当業者ならば、網１０はホームロケーションレジスタ（ＨＬＲ）、ビジタロケーションレジスタ（ＶＬＲ）、アクセス／認証／アカウンティング（ＡＡＡ）サーバ、等の図示せぬ他のエンティティも含むことができることがお判りであろう。
【００２８】
本発明に関してより興味深いことは、網１０が例としてＰＺ１...ＰＺ４により示す複数の「パケットデータゾーン」内でパケットデータサービスを提供することである。パケットデータトラフィックは各移動局１２のパケットゾーン位置に従って網１０によりルーティングされる。たとえば、ＰＺ１内の移動局１２に対するパケットデータトラフィックはＰＤＳＮ１，ＰＣＦ１およびＢＳＣ１により処理され、ＰＺ２内の移動局１２に対してはＰＤＳＮ１，ＰＣＦ２およびＢＳＣ２により処理される。
【００２９】
パケットデータサービスをできるようにするために、移動局１２および網１０はＰＰＰセションを含むことができるパケットデータリンク（ＰＤリンク）を確立し、各ＰＰＰセションは１つ以上のパケットデータ「サービスインスタンス」すなわち接続をサポートすることができる。ＰＤリンクの一端は移動局１２に論理的に固定され、リンクの他端はサービングＰＤＳＮ１６に固定される。移動局１２が網１０内のパケットゾーン間を移動する時、また移動局１２が網１０に出入りする時は必要に応じてリンクを再構成しなければならない。
【００３０】
たとえば、移動局１２がＰＺ１内にＰＰＰセションを確立する場合、そのＰＤリンクはＰＤＳＮ１に固定され、ＰＤＳＮ１は移動局のリンクをＰＺ１に関連付ける「追跡変数」を保存する。特に、本発明に従って、典型的なＰＤＳＮ１６は対応する移動局１２を伴うパケットデータモビリティイベントを追跡するのに使用されるＰＤＳＮ１６によりサポートされる各ＰＤリンクに対する１つ以上の追跡変数を保存する。
【００３１】
このようなモビリティイベントは一般的に、パケットデータ呼内でアクティブである間に移動局１２がパケットゾーンを変えるハードハンドオフ、およびドーマント状態、すなわち、移動局のＰＤリンク上の全データ接続がドーマント状態である、間に移動局１２がパケットゾーンを変えるドーマントハンドオフを含んでいる。典型的に、ドーマンシはイナクティビティの時間クオリファイド状態である。たとえば、移動局１２がそのＰＤリンクに関連付けられた任意のデータ接続上で定められた時間よりも長く何のパケットデータトラフィックも送受信していなければ、その移動局１２はドーマントと見なされる。
【００３２】
従来のパケットデータ網において移動局の「リメンバリング」パケットゾーン位置が知られているが、本発明は網保存追跡変数の更新および使用をより正確に管理することにより不要なＰＤリンク再ネゴシエーションの発生を低減する。特に、従来の追跡方法とは異なり、本発明の１つ以上の実施例に従った典型的な網は、これらのイベントがハードハンドオフに対応するかドーマントハードハンドオフに対応するかに無関係に、移動局モビリティイベントに応答して１つ以上の網保存追跡変数を選択的に更新する。
【００３３】
更新論理がハンドオフタイプの決定に依存するようにされる少なくとも１つの追跡変数を有することにより、１つ以上の網の保存された追跡変数は移動局に保存された追跡変数と一致したままとされる。網保存および移動機保存追跡変数間の不整合は不要なＰＤリンク再ネゴシエーションの原因であるため、本発明の方法は網保存および移動機保存追跡変数間の不整合の発生を低減することにより不要な再ネゴシエーションの発生を低減する。
【００３４】
たとえば、図２は本発明に従った典型的な処理論理の一実施例を例示している。図２において、処理は移動局１２に対するハンドオフ関連メッセージを受信する定められた移動局１２のＰＤリンクを維持する責任のある網１０内のルーティングエンティティにより開始する（ステップ１００）。たとえば、ＰＤＳＮ１は移動局１２に対するハンドオフ関連メッセージを受信する。
【００３５】
移動局１２がＰＤＳＮ間を移動しかつフォーリンエージェント・アドバータイズメント処理を実施しなければならないような所で、ＰＤリンク再ネゴシエーションが必要であると決定されると、ＰＤリンクは再ネゴシエートされ、必要に応じてエージェント・アドバータイズメント手順が実施される（ステップ１０２）。アドバータイズメント手順は、たとえば、ＭＩＰ標準に基づくことができる。
【００３６】
この点において、従来のパケットデータ網とは異なり、本発明に従った網１０は移動局１２のパケットゾーン位置を追跡するのに使用される１つ以上の網保存追跡変数の選択的更新を行う（ステップ１０４）。従来の網は典型的に定められた移動局に対するパケットデータモビリティを追跡するパケットゾーン識別子を維持し、移動局がハードハンドオフされるかドーマントハンドオフされるかにかかわらず、移動局の変更されたパケットゾーン関連を反映するようにその識別子を更新する。
【００３７】
前記した状況におけるパケットゾーン追跡に対する典型的なＰＤＳＮ処理論理を肉付けするのに、図３はＰＤＳＮ１６による追跡変数（「ＴＶ」で示す）のヌル値への初期化を示し、定められた移動局１２のパケットゾーン関連を追跡するために後で使用される（ステップ１１０）。この状況において、ＴＶはパケットデータ接続が設定される時に零とされる。次に、ＰＤＳＮ１６は移動局１２に対するハンドオフ関連メッセージを受信する（ステップ１１２）。
【００３８】
ＩＳ−２０００標準に基づくcdma2000網に対する典型的な実施例では、ハンドオフ関連メッセージは移動局１２をサポートしている関連するＰＣＦ２０により送られるＡ１１−登録要求メッセージ（ここでは、「Ａ１１−ＲＲＱメッセージとして示す」）を含んでいる。
【００３９】
規定されたネットワーク標準に従って、移動局ハンドオフによりトリガされるＡ１１−ＲＲＱメッセージは「モビリティイベント・インジケータ」すなわちＭＥＩを含んでいる。定められたＡ１１−ＲＲＱ内のＭＥＩの存在は登録メッセージがモビリティイベント、たとえば、関連する移動局のハードまたはドーマントハンドオフに応答することを示している。しかしながら、ＭＥＩはＰＤＳＮ１６にハンドオフタイプのいかなる表示も提供しない。ハンドオフ−トリガＡ１１−ＲＲＱメッセージはアクセス網識別子（ＡＮＩＤ）情報を運ぶNormal Vendor Specific Extension(NVSE)を含んでいる。
【００４０】
もちろん、ＭＥＩ自体はハードハンドオフモビリティを示す１つの値をとり、ドーマントハンドオフモビリティを示すもう１つの値をとるように定義することができる。利点はＡ１１ＲＲＱメッセージに付加インジケータを加える必要性をなくすことであるが、ＭＥＩを定義し直すとそのようにＭＥＩを使用するように構成されたＰＣＦとこのような使用を認識するようにされていない従来のＰＤＳＮ間のコンパチビリティの問題を生じることがある。
【００４１】
いずれの場合も、定められた移動局に対するハンドオフタイプ表示を有するＡ１１−ＲＲＱメッセージの受信に応答して、典型的なＰＤＳＮ１６は移動局１２に対して確立された既存のＰＤリンクを有するかどうか確認する。この特定の移動局１２に対してＰＤＳＮ１６に既に存在するＰＤリンクがなければ、ＰＤＳＮ１６は移動局１２に対するＰＤリンクを確立する、すなわち、移動局１２に対するＰＰＰセションを確立し、必要に応じてモバイルＩＰ登録手順を実施する。さらに、ＰＤＳＮ１６は確立されたばかりのＰＤリンクに追跡変数を割り振り、それをＡ１１−ＲＲＱメッセージ内に受信されたＣＡＮＩＤ値に割り当てる。ＣＡＮＩＤはＡ１１−ＲＲＱメッセージを送った特定のＰＣＦ２０を一意的に識別する。追跡変数を設定した後で、処理のこの分岐は終わる。
【００４２】
一方、ＰＤＳＮ１６はＡ１１−ＲＲＱメッセージを受信して移動局に対して確立されたＰＤリンクを既に有することを確認すると、ＰＡＮＩＤが受信メッセージ内に含まれているかどうかをチェックする（ステップ１１６）。ＰＡＮＩＤが含まれていないか、あるいは含まれているＰＡＮＩＤがゼロであれば、ＰＤＳＮ１６は移動局１２の前のパケットゾーン位置を識別することができず、そのためメッセージに含まれたＣＡＮＩＤに基づいて、移動局１２の（恐らく）新しいパケットゾーン位置を反映するようＰＤリンクと再ネゴシエートする。ＰＤＳＮ１６は必要に応じてエージェントアドバータイズメント手順を実施し、移動局のＰＤリンクに関連付けられた保存された追跡変数を再ネゴシエートされたリンクを反映するように更新する、すなわち、追跡変数はＣＡＮＩＤに更新される。
【００４３】
しかしながら、非ゼロＰＡＮＩＤがＡ１１−ＲＲＱメッセージ内に含まれておれば、ＰＤＳＮ１６はそのリンクに対して保存された追跡変数により反映される移動局のＰＤリンクと関連付けた最後のパケットゾーンを、そのメッセージ内に含まれたＰＡＮＩＤによりＡ１１−ＲＲＱメッセージ内に報告された移動局１２の最後のパケットゾーンと比較する根拠を有する。このようにして、Ａ１１−ＲＲＱメッセージが非ゼロＰＡＮＩＤを含む場合、ＰＤＳＮ１６は受信したＰＡＮＩＤを保存された追跡変数と比較する（ステップ１１８）。
【００４４】
保存された追跡変数と受信したＰＡＮＩＤが整合しなければ、ＰＤＳＮ１６は前記したようにＰＤリンク再ネゴシエーション／エージェント・アドバータイズメントを実施し、その保存された追跡変数をＡ１１−ＲＲＱメッセージ内に受信されたＣＡＮＩＤと整合するように更新する。このようにして、ＰＤＳＮの不整合追跡変数は移動局１２の現在のパケットゾーン位置を正確に反映する。
【００４５】
しかしながら、保存された追跡変数が受信したＰＡＮＩＤと一致しなければ、ＰＤＳＮ１６はＰＤリンクと再ネゴシエートせず、Ａ１１−ＲＲＱメッセージを生じるモビリティイベントのタイプの評価に基づいて保存された追跡変数を更新すべきかどうかを決定する（ステップ１２０）。本発明の一実施例では、ＰＣＦ２０はそれらにより送信されたＡ１１−ＲＲＱメッセージ内のハンドオフタイプの表示を含むように構成され、受信ＰＤＳＮ１６は定められた移動局１２を伴う定められたモビリティイベントがハードハンドオフに対応するかドーマントハンドオフに対応するかを決定することができる。
【００４６】
典型的な実施例では、ＰＣＦ２０はハンドオフ関連モビリティイベントに応答してそれらにより関連するＰＤＳＮに送信されたＡ１１ ＲＲＱメッセージ内のハンドオフタイプ、すなわち、ハードまたはドーマントの表示を含むように構成される。このようにして、典型的なＰＣＦは「ハンドオフタイプインジケータ」すなわちＨＴＩを含むように構成され、それは受信ＰＤＳＮ１６において処理してハンドオフタイプを識別することができる。このようにして、典型的なＰＤＳＮ１６は、たとえば、メッセージ内にＭＥＩが含まれることの認識に基づいて受信Ａ１１−ＲＲＱメッセージを移動局モビリティイベントに関連付けられるものとして識別し、さらに、含まれたＨＴＩを調べて関係するハンドオフのタイプを識別するように構成される。たとえば、第１の値に設定されたＨＴＩはドーマントハンドオフを示し、第２の値に設定されたＨＴＩハードハンドオフを示す。このようにして、ＨＴＩ＝１（または２）はハードハンドオフを意味し、ＨＴＩ＝２（または１）はドーマントハンドオフを意味する。もちろん、他のインジケータ値を選択することができ、重要なのはＰＤＳＮ１６がモビリティイベントハンドオフタイプ間を区別できるようにする何かを受信することである。
【００４７】
移動局１２は一般的に保存されたパケットゾーン追跡変数をハンドオフ操作の一部として更新せず、ドーマントになったらこのような情報を更新するのを待ち、Ａ１１−ＲＲＱメッセージはハードハンドオフ・モビリティイベントに対応することをＨＴＩが示す場合、ＰＤＳＮ１６は同様にその保存された追跡変数を更新しない。一方、Ａ１１−ＲＲＱメッセージがドーマントハンドオフに対応すると決定すると、ＰＤＳＮ１６は移動局の更新されたパケットゾーン位置を反映するように追跡変数を更新する。
【００４８】
このようにして、網保存追跡変数の更新はハードハンドオフ中に移動局の追跡変数の延期更新と同様に延期される。そのため、ＰＤＳＮ保存追跡変数は移動機保存追跡変数と同期されたままである。
【００４９】
図４は図３の典型的なＰＤＳＮベース処理論理に対応する典型的なＰＣＦベース処理論理を例示している。サポーティングＰＤＳＮ１６へ送信するハンドオフ関連Ａ１１−ＲＲＱメッセージの発生に関して、典型的なＰＣＦ２０はＰＡＮＩＤフィールドをＰＣＦの関連ＢＳＣ２２から受信したＡ９−Ｓｅｔｕｐ−Ａ８メッセージ内に受信されたＡＮＩＤ ＩＥに等しく設定し、メッセージ内にＡＮＩＤ拡張が含まれていなければ、ＰＣＦ２０はＰＡＮＩＤフィールドを「０」に設定する（ステップ１３０）。処理は継続してＰＣＦ２０はＣＡＮＩＤメッセージフィールドをＰＣＦ自体のＡＮＩＤに設定し（ステップ１３２）、モビリティイベントが移動局１２のハードハンドオフに対応すればＨＴＩ値を「２」に設定し、モビリティイベントが移動局１２のドーマントハンドオフに対応すれば「１」に設定する（ステップ１３４）。このように構成されたメッセージにより、ＰＣＦ２０はＡ１１−ＲＲＱメッセージをＰＤＳＮ１６へ送る（ステップ１３６）。
【００５０】
もちろん、前記した処理はＨＩＴをその適切な値に設定する典型的な機構を説明することを認識しなければならない。すなわち、典型的なＰＣＦ２０は利用可能な情報および／または他のメッセージを使用してハンドオフタイプを任意数の方法で決定することができる。
【００５１】
図３に示す処理論理により確立される典型的なフレームワークに続いて、図５は第１および第２の追跡変数が確立されたＰＤリンクに対して維持されるＰＤＳＮベース処理論理を示す。必要に応じてその動きに応答してＰＤリンクと選択的に再ネゴシエートする目的で、対応する移動局のパケットデータ移動を追跡するために２つの変数が使用される。
【００５２】
概して、処理は確立されたＰＤリンクを有する移動局１２のパケットゾーン移動を追跡する網内の第１および第２の追跡変数を維持するＰＤＳＮ１６により開始する。追跡変数はパケットゾーン間の移動局のハードハンドオフに応答する第１の追跡変数の選択的更新、およびパケットゾーン間の移動局のドーマントハンドオフに応答する第２の追跡変数の選択的更新に基づいて維持される（ステップ１４０）。
【００５３】
移動局１２のハードハンドオフに対して、ＰＤＳＮ１６は第１の追跡変数とハードハンドオフ・モビリティイベントに関連して移動局１２に対して受信された前のパケットゾーン識別子との比較に基づいてパケットデータリンクの再ネゴシエーションを選択的にトリガする（ステップ１４２）。移動局１２のドーマントハンドオフに対して、ＰＤＳＮ１６は第２の追跡変数とドーマントハンドオフ・モビリティイベントに関連して移動局１２に対して受信された前のパケットゾーン識別子との比較に基づいてパケットデータリンクの再ネゴシエーションを選択的にトリガする（ステップ１４４）。
【００５４】
同様に、少なくとも１つの追跡変数の更新はその保存されたＰＺＩＤ情報の移動局の更新と一致して行うことができる。その方法は移動局１２がハードおよび／またはドーマントハンドオフの特定の組合せを適用される時に生じることがある移動機保存および網保存追跡情報の比較における誤った不一致の発生を低減する。
【００５５】
図６は変数の１つのテストに時間クオリフィケーションが使用される状況における、同様な２変数追跡論理を示す。この実施例を以下に概説し、後で詳細を示す。
【００５６】
それとＰＤＳＮ１６との間にＰＤリンクが確立された時に移動局１２の現在のパケットゾーン識別子（ＣＡＮＩＤ）と整合するように第１の追跡変数が初期化され、第２の追跡変数は「ヌル」値に初期化される（ステップ１５０）。既存のＰＤリンクを有する、移動局１２に対するハンドオフ関連メッセージの受信に応答して、ＰＤＳＮ１６はハンドオフタイプを決定し（ステップ１５２）、ＰＤリンクと選択的に再ネゴシエートして保存された追跡変数を次のように更新する。
【００５７】
ハードハンドオフに対して、ハンドオフ関連メッセージ内に含まれる前のパケットゾーン識別子が網において移動局１２に対して保存された第１の追跡変数と整合しなければ、ＰＤＳＮ１６はパケットデータリンク再ネゴシエーションをトリガし、ハンドオフ関連メッセージ内に含まれる現在のパケットゾーン識別子と整合するように第１の追跡変数を更新し、非ヌルであれば第２の追跡変数を前のパケットゾーン識別子と整合するように更新する（ステップ１５４）。言い換えれば、ＨＨＯに対して、受信Ａ１１−ＲＲＱメッセージ内に含まれるＰＡＮＩＤがＰＤＳＮ１６において保存された第１の追跡変数のＡＮＩＤ値と整合しなければ、リンクは再ネゴシエートされ、第１の追跡変数はメッセージ内に受信されたＣＡＮＩＣへ更新され、第２の追跡変数は（非ヌルであれば）受信ＰＡＮＩＤに更新される。
【００５８】
ドーマントハンドオフ・モビリティイベントに対して、クオリフィケーションタイマが切れておらず、かつハンドオフ関連メッセージ内に含まれる前のパケットゾーン識別子が第２の追跡変数と整合しなければ、ＰＤＳＮ１６はパケットデータリンク再ネゴシエーションをトリガし、第１の追跡変数を現在のパケットゾーン識別子と整合するように更新し、第２の追跡変数をヌルにリセットする（ステップ１５６）。さらに、ドーマントハンドオフ・モビリティイベントに対して、クオリフィケーションタイマが切れておれば、それは第２の追跡変数をヌルにリセットし、さらに、第１の追跡変数が現在のパケットゾーン識別子と整合しなければ、ＰＤＳＮ１６はパケットデータリンク再ネゴシエーションをトリガし、第１の追跡変数を現在のパケットゾーン識別子に更新する。
【００５９】
図７は対応する典型的なＰＣＦベース処理論理を例示している。前記したように、Ａ９−Ｓｅｔｕｐ−Ａ８メッセージ内の関連するＢＳＣ２２から受信したＡＮＩＤ、または、基地局からＡＮＩＤ値が受信されない場合は「０」へのＰＡＮＩＤフィールドの設定に基づいて、ＰＣＦ２０はそれにより発生されるＡ１１−ＲＲＱメッセージ内にＡＮＩＤ ＮＶＳＥを含んでいる（ステップ１６０）。さらに、ＰＣＦ２０はＣＡＮＩＤフィールドをそれ自体のＡＮＩＤへ設定し（ステップ１６０）、次に、ＨＨＯに対してはＨＴＩを「２」に設定し、ＤＨＯに対しては「１」に設定することによりハンドオフタイプを表示する（ステップ１６２）。
【００６０】
明確な表示（ＨＴＩ＝２）をＰＤＳＮ１６へ通すことにより、ＰＤＳＮ１６はモビリティイベントをハードハンドオフとして識別することができる。特に、前記論理内で、「ＴＶ２」として示す第２の追跡変数が定義される。ＴＶ２はデフォルトによりヌル値であるが、ＨＨＯ処理の一部としてＡ１１−ＲＲＱメッセージ内に受信されたＰＡＮＩＤに設定される（すなわち、ＨＴＩ＝２）。ＴＶ２がリンク再ネゴシエーションをトリガする基準としてテストされる唯一の時間は、前のハードハンドオフに続いて移動局がドーマントとなった後で、それが第１のドーマントハンドオフ上で非ヌルである時である。言い換えれば、ＴＶ２は非ヌル値であると、ＰＤＳＮが移動局のＰＤリンクに対する「オールドーマント」インジケータを受信した後でＨＴ＝１インジケータを含む第１のＡ１１−ＲＲＱメッセージの受信に応答してＰＤリンク再ネゴシエーションをトリガする基準として使用される。このようなインジケータはＰＤリンクに関連付けられた各データ接続に対するイナクティビティ・タイマがタイムアウトしている後に受信されるか、あるいは他のドーマンシ検出機構に応答して受信される。
【００６１】
もちろん、明確なＨＴＩの使用はＰＤＳＮ１６にハンドオフタイプ情報を通すのに適したいくつかの機構の１つにすぎないことを理解しなければならない。したがって、当業者ならばＡ１１−ＲＲＱメッセージ発生におけるＨＴＩの使用は代表的なものであって、本発明の側面を限定するものではないことを理解しなければならない。
【００６２】
いずれの場合も、非ヌル値ＴＶ２は前記したクオリフィケーション・タイマにより保証され、ＰＤＳＮ１６はオールドーマント・インジケータの受信に応答してタイマがリセット／始動されるように、また秒、分等で規定される制御された時限寿命を有するようにそれを維持することができる。このようにして、クオリフィケーション・タイマの時限寿命内でドーマントハンドオフが行われ、かつＴＶ２値が予め非ヌル値に設定されておれば、ＴＶ２はＰＤリンクを再ネゴシエーションすべきかどうかを決定する基準として使用される。
【００６３】
図８は前記した２変数、タイマベース処理論理をより詳細に説明する。この典型的な処理論理により提供されるアルゴリズムはモビリティイベント・ハンドオフタイプの決定において追跡変数更新および／またはＰＤリンク再ネゴシエーション／エージェントアドバータイズメントを調節する。典型的な処理はＰＤＳＮ１６とのパケットデータ接続を有する、または確立する、移動局に対するＡ１１−ＲＲＱメッセージの受信に応答してトリガされる。
【００６４】
処理は、たとえば、呼設定においてＰＤＳＮ１６により追跡変数ＴＶ１およびＴＶ２をヌル値に初期化して開始する（ステップ１７０）。ＡＮＩＤ ＮＶＳＥを有するＡ１１−ＲＲＱメッセージを受信すると（ステップ１７２）、ＰＤＳＮ１６は次のように典型的な処理論理を遂行する。（１）移動局１２に対するＰＤリンク（ＰＰＰセション）が存在すれば、処理は（２）にスキップし、さもなくば、ＰＤＳＮ１６は移動局１２に対するＰＤリンクを確立し、ＭＩＰ登録を実施し、ＴＶ１を受信ＣＡＮＩＤに設定し、メッセージのＨＴＩ＝２であればＴＶ２を受信ＰＡＮＩＤに設定する、すなわち、受信Ａ１１−ＲＲＱメッセージを生じるモビリティイベントがハードハンドオフであれば仮追跡変数ＴＶ２は受信ＰＡＮＩＤに設定される（ステップ１７４）。
【００６５】
ＰＤＳＮ１６が（２）にスキップすると、処理は継続して（ステップ１７６）Ａ１１−ＲＲＱメッセージ内でＰＡＮＩＤが受信されたかどうかが確認され、そうであれば、そのＰＡＮＩＤは非ゼロ値を有するかどうかが確認される。両方の条件が満たされれば、処理は（３）にスキップし、そうでなければ、ＰＤＳＮ１６はＰＤリンクと再ネゴシエートし、必要に応じてエージェント・アドバータイズメント手順を実施し、ＴＶ１を受信ＣＡＮＩＤに設定し、クオリフィケーション・タイマが切れていなければ（作動中）、ＰＤＳＮ１６はタイマを停止させてＴＶ２をヌル値にリセットする。そこで処理はエグジットする。
【００６６】
ＰＤＳＮ１６が（３）にスキップすると、処理は継続して（ステップ１７８）受信Ａ１１−ＲＲＱメッセージ内に含まれるＨＴＩおよびクオリフィケーション・タイマの状態が評価される。ＨＴＩ＝１（ＤＨＯを示す）でありかつタイマが働いておれば、ＰＤＳＮ１６はタイマを停止させて（４）へスキップし、ＨＴＩ＝１であってタイマが働いていなければ、ＰＤＳＮ１６は（５）へスキップし、ＨＴＩ＝２（ＨＨＯを示す）であれば、ＰＤＳＮ１６は（６）へスキップする。
【００６７】
ＰＤＳＮ１６が（４）にスキップすると、処理は継続して（ステップ１８０）ＰＤＳＮ１６はＴＶ２が受信ＰＡＮＩＤに等しいかどうかを評価する。ＴＶ２がＰＡＮＩＤに等しくなければ、ＰＤＳＮ１６はＴＶ１を受信ＣＡＮＩＤに設定し、ＴＶ２をヌルにリセットし、ＰＤリンク再ネゴシエーション／エージェント・アドバータイズメントを開始して、処理はエグジットする。
【００６８】
ＰＤＳＮ１６が（５）にスキップすると、処理は継続して（ステップ１８２）ＰＤＳＮ１６はＴＶ２をヌルにリセットし、ＴＶ１が受信ＰＡＮＩＤに等しいかどうかを評価する。ＴＶ１がＰＡＮＩＤに等しくなければ、ＰＤＳＮ１６はＴＶ１を受信ＣＡＮＩＤに設定し、ＰＤリンク再ネゴシエーション／エージェント・アドバータイズメントを開始して、処理はエグジットする。
【００６９】
ＰＤＳＮ１６が（６）にスキップすると、処理は継続して（ステップ１８４）ＰＤＳＮ１６はＴＶ２がヌルであるかどうかを評価する。そうであれば、ＰＤＳＮ１６はＴＶ２を受信ＰＡＮＩＤにに設定する。さらに、ＴＶ１が受信ＰＡＮＩＤに等しくなければ、ＰＤＳＮ１６はＴＶ１を受信ＣＡＮＩＤに設定し、ＰＤリンク再ネゴシエーション／エージェント・アドバータイズメントを開始して、処理はエグジットする。
【００７０】
このようにして、前記した論理に従って、ＰＤＳＮ１６は移動局１２の現在のパケットゾーン位置に初期化される第１の変数（ＴＶ１）、およびヌル値に初期化される第２の変数（ＴＶ２）を維持する。次に、ＴＶ２はＰＤＳＮ１６に関する移動局の最初のハードハンドオフに応答して、移動局１２の変化したパケットゾーン位置に整合するように更新される。次に、ＴＶ２の値を使用して、ＰＤＳＮ１６の元で移動局１２が最初にドーマントとなる時に開始される、クオリフィケーション・タイマにより課される時間クオリフィケーションを受ける、ＰＤＳＮ１６の元で呼が終わる後で移動局１２の最初のドーマントハンドオフに対してＰＤリンク再ネゴシエーションが必要であるかどうかテストされる。全ての場合において、ＴＶ１は移動局のＰＤリンクとの再ネゴシエーションに応答して移動局１２に関連付けられたＣＡＮＩＤを反映するように更新される。
【００７１】
前記した処理により不要なＰＤリンク再ネゴシエーションの発生がどのように低減されるかを理解するために、移動局１２はＰＤＳＮ１の下にあるＢＳＣ３の下でパケットデータ呼を発信し、次に、ＰＤＳＮ２の下のＢＳＣ４にハードハンドオフを行う状況について考える。ハードハンドオフの完了後、ＰＤＳＮ２は前記したアルゴリズムを実行してＰＤリンク再ネゴシエーションを正しく実施する。
【００７２】
さらに、ＰＤＳＮ２は移動局のＰＤリンクに対して保存するＴＶ２変数をハードハンドオフイベントに関して発生されたＡ１１−ＲＲＱメッセージ内に受信されたＰＡＮＩＤに設定する。ここで、ＰＡＮＩＤはＰＣＦ４によりハンドオフ要求メッセージ内でＢＳＣ４により受信されたＡＮＩＤに設定されたことを憶えておかなければならない。このようにして、ＰＤＳＮ２により受信されたＰＡＮＩＤはＢＳＣ４／ＰＣＦ４によりハードハンドオフイベントの一部として正しい値（すなわち、ＢＳＣ３ ＡＮＩＤ）に設定されている。そのため、ＰＤＳＮ２において保存されたＴＶ２の値は移動局１２内に保存されたＰＡＮＩＤ値の正しい反映であり、移動局１２がＢＳＣ４／ＰＣＦ４の下でドーマントとなると（すなわち、ＰＺ４内でドーマントとなる）、移動局発信に応答してＰＤＳＮ２により受信されたＰＡＮＩＤはＰＤＳＮ２により保存されたＴＶ２値に整合する。この整合は不必要なＰＤリンク角ネゴシエーションを避ける。
【００７３】
図９は前記した方法の典型的なバリエーションを例示しており、ＰＤＳＮ１６は再びＴＶ１およびＴＶ２をヌル値に初期化する（ステップ１９０）。次に、ＡＮＩＤ ＮＶＳＥを含むＡ１１−ＲＲＱメッセージの受信に応答して（ステップ１９２）、ＰＤＳＮ１６が継続され（ステップ１９４）、（１）ＰＤＳＮ１６において移動局１２に対する既存のＰＤリンクがあるかチェックされる。あれば、処理は（２）にスキップする。そうでなければ、ＰＤＳＮ１６はＰＤリンクと再ネゴシエートしかつ必要に応じてエージェント・アドバータイズメントを実施し、ＴＶ１を受信ＣＡＮＩＤに設定する。
【００７４】
ＰＤＳＮ１６が（２）にスキップすると、処理は継続して（ステップ１９６）Ａ１１−ＲＲＱメッセージ内にＰＡＮＩＤが受信されたかどうかが確認され、そうであれば、そのＰＡＮＩＤが非ゼロ値を有するかどうかが確認される。両方の条件が満たされると処理は（３）にスキップし、そうでなければ、ＰＤＳＮ１６はＰＤリンクと再ネゴシエートし、必要に応じてエージェント・アドバータイズメントを実施し、ＴＶ１を受信ＣＡＮＩＤに設定し、ＴＶ２をヌル値にリセットする。次に、処理はエグジットする。
【００７５】
ＰＤＳＮ１６が（３）にスキップすると、処理は継続して（ステップ１９８）Ａ１１−ＲＲＱメッセージ内に含まれるＨＴＩが評価される。ＨＴＩ＝２（ＨＨＯを示す）であれば、ＰＤＳＮ１６は（４）にスキップし、ＨＴＩ＝１であればＰＤＳＮ１６は（５）にスキップする。
【００７６】
ＰＤＳＮ１６が（４）にスキップすると、処理は継続して（ステップ２００）ＰＤＳＮ１６はＴＶ２がヌルであるかどうかを評価する。そうであれば、ＰＤＳＮ１６はＴＶ２をＴＶ１に等しく設定する。ＴＶ２が受信ＰＡＮＩＤに等しくなければ、ＰＤＳＮ１６はＰＤリンク再ネゴシエーション／エージェント・アドバータイズメントを開始し、ＴＶ２を受信ＣＡＮＩＤに設定して、処理はエグジットする。
【００７７】
ＰＤＳＮ１６が（５）にスキップすると、処理は継続して（ステップ２０２）ＰＤＳＮ１６はＴＶ１が受信ＰＡＮＩＤに等しいかどうかを評価する。そうでなければ、ＰＤＳＮ１６はＰＤリンク再ネゴシエーション／エージェント・アドバータイズメントを開始し、ＴＶ１を受信ＣＡＮＩＤに設定し、ＴＶ２をヌルに設定し、処理はエグジットする。
【００７８】
前記した処理は図８に示したものと同じであるが、クオリフィケーション・タイマは使用されず、さらに、いつＴＶ２が更新および／またはヌル値にリセットされるかについていくつかのバリエーションがある。もう１つの同様な２変数追跡方法では、基地局、たとえば、ＢＳＣ２２は不要ＰＤリンク再ネゴシエーションの発生を低減するのに使用される第３の網保存追跡変数を保持するのに使用される。
【００７９】
すなわち、典型的な網１０はパケットデータ呼設定に対応するパケットゾーン位置識別子（たとえば、ＡＮＩＤ）を「捕捉し（ｃａｐｔｕｒｅ）」、次に、ハードハンドオフ処理の一部としてそのＡＮＩＤ値をソースＢＳＣからターゲットＢＳＣに沿って「通す（ｐａｓｓ）」ＢＳＣ２２を含んでいる。そのため、典型的なＢＳＣ２２はＢＳ＿ＴＶとそれ自体の（ソース）ＡＮＩＤをハードハンドオフの一部として通す。対照的に、ハードハンドオフ処理への従来のＢＳＣアプローチでは、ソースＢＳＣがそれ自体のＡＮＩＤだけをターゲットＢＳＣへ通す。
【００８０】
呼設定に関連付けられたＡＮＩＤ値を通すことにより、網は呼設定において移動局１２により保存された同じ値を回す。このようにして、移動局１２は後続ハードハンドオフを通してその値を保持するため、ＢＳＣ２２からＢＳＣ２２へ通される値は移動機保存追跡情報と一致したままである。ＢＳＣ通過情報により、一連のハードハンドオフ内で移動局を受信する最後のＰＣＦ２０は、呼が発信されたパケットゾーン位置に対応するＡＮＩＤを得る。このようにして、移動局１２はその最後のＰＣＦ２０のパケットゾーン内でドーマントとなると、呼設定時にそれにより保存されたＡＮＩＤを含む発信メッセージを送り、それは最後のハードハンドオフの一部としてサポーティングＰＤＳＮ１６により予め得られたＢＳＣ・ツー・ＢＳＣ通過ＡＮＤ値と整合する。下記の処理はこの方法の典型的な実施例について説明する。
【００８１】
図１０に示す典型的な処理において、ソースＢＳＣ２２は基地局仮変数（ＢＳ＿ＴＶ）をヌル値に初期化する（ステップ２１０）。移動局１２がＢＳＣ２２を介してパケットデータセションを確立すると、ＢＳＣ２２はＢＳ＿ＴＶをそれ自体のＡＮＩＤに設定する（ステップ２１２）。（ＢＳＣ２２はパケットデータ接続を有するその移動局１２と同数のＢＳ＿ＴＶを維持することができる）。次に、移動局のパケットデータセションがクリアされてドーマントになると、ＢＳＣ２２は対応するＢＳ＿ＴＶをヌル値に設定する（ステップ２１４）。
【００８２】
しかしながら、ＢＳＣ２２が移動局のアクティブパケットデータセションをハードハンドオフでもう１つのＢＳＣ２２へ転送する場合、それは、A1 Handoff Required/Handoff Requestメッセージを使用するサポーティングＭＳＣ２６を介して、移動局に対するＢＳ＿ＴＶをターゲットＢＳＣ２２へ送る（ステップ２１６）。このようにして、非ヌルＢＳ＿ＴＶがソースＢＳＣからターゲットＢＳＣへ通される。ターゲットＢＳＣ２２は移動局１２に対するそのＢＳ＿ＴＶをソースＢＳＣからのＢＳ＿ＴＶに設定し、ターゲットＢＳＣはその関連するＰＣＦへのＡ９−ＳＥＴＵＰ−Ａ８メッセージ内にＢＳ＿ＴＶを含むようになる。
【００８３】
次に、図１１に示すように、ターゲットＢＳＣ２２からの前記したＡ９−ＳＥＴＵＰ−Ａ８メッセージの受信に応答して、関連するＰＣＦ２０が移動局１２に対する対応するＡ１１−ＲＲＱメッセージを発生する時、それはＡＮＩＤ ＮＶＳＥを含み、ＰＡＮＩＤフィールドはターゲットＢＳＣ２２から受信されるＡＮＩＤ ＩＥに設定される。それは、さらに、メッセージＣＡＮＩＤ値をそれ自体のＡＮＩＤに設定する（ステップ２２０）。さらに、ハードハンドオフに対して、ＰＣＦ２０はＡ１１−ＲＲＱメッセージ内にＢＳ＿ＴＶ値を含む。この状況において、ＮＶＳＥとして包含されるＢＳ＿ＴＶはターゲットＰＤＳＮ１６へのハードハンドオフのインプリシット表示として働くため、エクスプリシットＨＴＩを使用する必要がない。
【００８４】
図１２はＢＳＣ２２における第３の追跡変数の使用、すなわち、ＮＶＳＥにより包含されるＢＳ＿ＴＶの使用、を実現する典型的なＰＤＳＮ処理論理を例示しており、図８に示すものと同じである。処理はＰＤＳＮ１６により追跡変数ＴＶ１およびＴＶ２をヌル値に初期化させて開始する（ステップ２３０）。ＡＮＩＤ ＮＶＳＥを有するＡ１１−ＲＲＱメッセージを受信すると（ステップ２３２）、ＰＤＳＮ１６は次のように典型的な処理論理を遂行する。（１）移動局１２に対するＰＤリンク（ＰＰＰセション）が存在すれば、処理は（２）へスキップする、そうでなければ、ＰＤＳＮ１６は移動局１２に対するＰＤリンクを確立し、ＭＩＰ登録を実施し、ＴＶ１を受信ＣＡＮＩＤに設定し、Ａ１１−ＲＲＱメッセージ内に受信されると、ＴＶ２をＢＳ＿ＴＶ ＡＮＩＤに設定し、エグジットする（ステップ２３４）。
【００８５】
ＰＤＳＮ１６が（２）にスキップすると、処理は継続して（ステップ２３６）Ａ１１−ＲＲＱメッセージ内でＰＡＮＩＤが受信されたかどうか確認され、そうであれば、そのＰＡＮＩＤは非ゼロ値を有するかどうか確認される。両方の条件が満たされれば、処理は（３）にスキップし、そうでなければ、ＰＤＳＮ１６はＰＤリンクと再ネゴシエートし、必要に応じてエージェント・アドバータイズメント手順を実施し、ＴＶ１を受信ＣＡＮＩＤに設定し、クオリフィケーション・タイマが切れていなければ（作動中）、ＰＤＳＮ１６はタイマを停止してＴＶ２をヌル値にリセットする。
【００８６】
ＰＤＳＮ１６が（３）にスキップすれば、処理は継続して（ステップ２３８）Ａ１１−ＲＲＱメッセージがＢＳ＿ＴＶＮＳＥ内に含まれるかどうか評価され、さらに、クオリフィケーション・タイマが作動中かどうか確認される。ＢＳ＿ＴＶが受信されておらずかつタイマが作動中であれば、ＰＤＳＮ１６はタイマを停止して（４）へスキップし、ＢＳ＿ＴＶは受信されておらずタイマも作動中でなければ、ＰＤＳＮ１６は（５）へスキップし、Ａ１１−ＲＲＱメッセージ内でＢＳ＿ＴＶが受信されておれば、ＰＤＳＮ１６は（６）へスキップする。
【００８７】
ＰＤＳＮ１６が（４）にスキップすれば、処理は継続して（ステップ２４０）ＰＤＳＮ１６はＴＶ２が受信ＰＡＮＩＤに等しいかどうか評価する。ＴＶ２がＰＡＮＩＤに等しくなければ、ＰＤＳＮ１６はＴＶ１を受信ＣＡＮＩＤに設定し、ＴＶ２をヌルにリセットし、ＰＤリンク再ネゴシエーション／エージェント・アドバータイズメントを開始して、処理はエグジットする。
【００８８】
ＰＤＳＮ１６が（５）にスキップすれば、処理は継続して（ステップ２４２）ＰＤＳＮ１６はＴＶ２をヌルにリセットし、ＴＶ１が受信ＰＡＮＩＤに等しいかどうか評価する。ＴＶ１がＰＡＮＩＤに等しくなければ、ＰＤＳＮ１６はＴＶ１を受信ＣＡＮＩＤに設定し、ＰＤリンク再ネゴシエーション／エージェント・アドバータイズメントを開始して、処理はエグジットする。
【００８９】
ＰＤＳＮ１６が（６）にスキップすれば、処理は継続して（ステップ２４４）ＰＤＳＮ１６はＴＶ２がヌルであるかどうか評価する。そうであれば、ＰＤＳＮ１６はＴＶ２を受信ＢＳ＿ＴＶに設定する。さらに、ＴＶ１が受信ＰＡＮＩＤに等しくなければ、ＰＤＳＮ１６はＴＶ１を受信ＣＡＮＩＤに設定し、ＰＤリンク再ネゴシエーション／エージェント・アドバータイズメントを開始して、処理はエグジットする。
【００９０】
前記したシナリオの状況において、パケットデータ呼がＢＳＣ１／ＰＣＦ１／ＰＤＳＮ１を使用して最初に設定される場合について考える。ここでは、ＡＮＩＤ値の最も単純な例として、ＢＳＣ１はＭＳ ＡＮＩＤ＝「１」をそのＢＳ＿ＴＶ値として保存する。ＢＳＣ１からＢＳＣ２へのハードハンドオフにおいて、ＢＳ＿ＴＶ値はＢＳＣ２に通され、それは次にＰＣＦ２へ転送され、対応するＡ１１＿ＲＲＱメッセージ内のＰＤＳＮ１へ送られる。このようにして、ＰＤＳＮ１はＴＶ２をＢＳＣ１により設定されるＭＳ ＡＮＩＤの値に初期化する。たとえば、ＢＳＣ２からＢＳＣ４への後続ハードハンドオフの進行につれて、ＭＳ ＡＮＩＤ値はＢＳＣ４へ通され、最後に、ＰＤＳＮ２へ通される。この点において、ＰＤＳＮ２はＴＶ２をＭＳ ＡＮＩＤ値（すなわち、ＢＳＣ１ ＡＮＩＤ）に初期化し、それは移動局１２がそのパケットデータ呼を確立したオリジナルＢＳＣを正確に反映するＰＡＮＩＤ値をそのＰＤＳＮ２が保存することを意味する。
【００９１】
注目すべきは、移動局１２は一連のハードハンドオフを通してその追跡値を更新していないため、まだＢＳＣ１ ＡＮＩＤを保存していることである。このようにして、移動局１２はＰＺ４内でドーマントとなると、その保存されたパケットゾーン識別子とＰＺ４内でブロードキャストされるパケットゾーン識別子間の不整合を認識する。その不整合の認識に応答して、移動局１２はＰＡＮＩＤ＝ＢＳＣ１ ＡＮＩＤを有する発信メッセージを送る。そのＰＡＮＩＤは最後にＰＤＳＮ２に通され、そこでＰＰＰリンク再ネゴシエーションが必要かどうか判断するのに使用される。前記処理論理は、ハードハンドオフ中に通された、ＢＳ＿ＴＶによりＰＤＳＮ２にＢＳＣ１ ＡＮＩＤを提供するため、ＰＤＳＮ２に保存されたＰＡＮＩＤ値（すなわち、ＴＶ２値）は移動局１２から受信したＰＡＮＩＤと整合し、ドーマントハンドオフ・イベントは不要なＰＰＰリンク再ネゴシエーションをトリガしない。
【００９２】
このようにして、前記論理に従って、ＰＤＳＮ１６は移動局１２の現在のパケットゾーン位置に初期化される第１の変数（ＴＶ１）、およびにヌル値に初期化される第２の変数（ＴＶ２）を維持する。次に、ＰＤＳＮ１６に対する移動局の最初のハードハンドオフに応答して、ＴＶ２は移動局１２の変更されたパケットゾーン位置に整合するように更新される。次に、ＴＶ２の値を使用して、移動局１２がＰＤＳＮ１６の元で最初にドーマントとなる時に開始される、クオリフィケーション・タイマによる時間限定が課される、ＰＤＳＮ１６の元の移動局１２の最初のドーマント・ハードハンドオフに対してＰＤリンク再ネゴシエーションが必要かどうかテストされる。いずれの場合も、ＴＶ１は移動局のＰＤリンク再ネゴシエーションに応答して移動局１２に関連付けられたＣＡＮＩＤを反映するように更新される。
【００９３】
前記したようにＢＳＣ２２における追跡変数保存を実現することにより、その下で移動局１２がパケットデータ呼を確立または再活性化するＢＳＣのＡＮＩＤは１つ以上の後続ＢＳＣを介して移動局１２のハードハンドオフに「追従する」ようにすることができる。このようにして、ハードハンドオフで移動局１２を受信するＰＤＳＮ１６はハードハンドオフのチェーンを開始したＢＳＣのＡＮＩＤを保存することができる。そのＡＮＩＤはパケットデータ呼がアクティブである間に移動局自体により保持されるものであるため、移動局１２による最初のドーマンシ関連発信はハードハンドオフの連続を介して移動局１２に追従したBSC-to-BSC転送ＡＮＩＤに整合するＡＮＩＤ情報を含んでいる。
【００９４】
このような全ての実施例を考慮して、図１３は本発明に従ったいくつかの考えられる典型的な追跡変数およびＡＮＩＤ情報フローを例示している。前記したように、ＰＤリンクは移動局１２およびＰＤＳＮ１６によりそれぞれの端部に固定されることが判る。ドーマントハンドオフにおいて生じるような移動局１２からの発信（または、エンハンスト発信）メッセージに対して、モバイル記憶パケットゾーン追跡変数に基づくＰＡＮＩＤ情報が反転ＢＳＣ２２およびＰＣＦ２０を介してＰＤＳＮ１６に流れる。ハードハンドオフイベントに対して、移動局１２に対するＰＡＮＩＤ情報は一般的にソースＢＳＣからターゲットＢＳＣへ直接通されるか、あるいは関連するＭＳＣを介して間接的に通される。
【００９５】
いずれの場合も、典型的なＰＤＳＮ１６は１つ以上の保存された追跡変数を受信ＰＡＮＩＤ情報との比較の基礎として使用し、前記した典型的な実施例では、ＰＤＳＮ１６はその保存された情報を選択的更新およびチェック手順で使用して不要なＰＤリンク再ネゴシエーションを回避する。図１４は、必要に応じて、ここで検討された典型的な実施例のいずれかに従って、または当業者ならばお判りのそのバリエーションに従って本発明を実施するように構成することができるＰＤＳＮ１６，ＰＣＦ２０，およびＢＳＣ２２に対する典型的な機能的回路構成を例示している。
【００９６】
そのために、ＰＣＦ１６はルーティング／インターフェイス回路３０、およびリンク制御回路３２を含み、それはＰＤＳＮ１６によりサポートされる各ＰＤリンクに対して前記した変数保存および選択的更新プロセスを実施するように構成される１つ以上のマイクロプロセッサその他の論理回路を含むことができる。ここに記述された典型的な処理はハードウェア、ソフトウェア、またはその任意の組合せで実施できることを理解しなければならない。たとえば、リンク制御回路３２はここに記述された典型的なＰＤＳＮベースパケットゾーン追跡を利用するプログラム命令を実行するように構成された１つ以上のマイクロプロセッサ回路を含むことができる。
【００９７】
さらに、本発明を支援するために、典型的なＰＣＦ２０は無線パケット（ＲＰ）インターフェイス回路３４、および登録制御回路３６を含んでいる。この状況において、登録制御回路３６は典型的なＡ１１−ＲＲＱメッセージ発生を実施してＰＤＳＮ１６にメッセージ発生を生じるハンドオフタイプのエクスプリシットまたはインプリシット表示を与えるように構成される１つ以上の処理回路を含んでいる。
【００９８】
同様に、典型的なＢＳＣ２２は通信制御およびインターフェイス回路３８、およびハンドオフ制御回路４０を含んでいる。この状況において、ハンドオフ制御回路４０は本発明の実施例に従って典型的な一時的変数保存を実施するように構成される１つ以上の処理回路を含んでおり、ＢＳＣはＰＤＳＮ１６により使用されるＡ１１−ＲＲＱメッセージ内に含むことができる第３の追跡変数に対する記憶装置を提供する。
【００９９】
当業者ならば、図１４は本発明を支援するＰＤＳＮ１６，ＰＣＦ２０およびＢＳＣ２２における処理回路の典型的な機能的構成を提供するが、これらの網エンティティは実際のインプリメンテーションでは極めて複雑になりうることを理解しなければならない。事実、このようなエンティティのインプリメンテーションアーキテクチュアはさまざまな装置ベンダーにより採用される特定の設計に従って変動する。
【０１００】
したがって、他の機能的インプリメンテーションおよび他の回路構成をここに記述された典型的な方法を実施するように構成できることを理解しなければならない。それゆえ、本発明はここに示す構成に限定されるものではない。事実、本発明は任意の図面または前記検討により限定されるものではなく、特許請求の範囲およびそれらに正当に対応するものによってのみ限定される。
【図面の簡単な説明】
【０１０１】
【図１】本発明の１つ以上の実施例に従って構成された典型的なワイヤレス通信網の線図である。
【図２】本発明の１つ以上の実施例に従った網ルーティングエンティティ、たとえば、ＰＤＳＮ、に対する典型的な処理論理の線図である。
【図３】単一の、選択的に更新される追跡変数を使用してパケットデータリンク再ネゴシエーションを管理するＰＤＳＮに対する典型的な処理論理の線図である。
【図４】図３のＰＤＳＮ処理を補足するＰＣＦに対する典型的な処理論理の線図である。
【図５】２つの選択的に更新される追跡変数を使用してパケットデータリンク再ネゴシエーションを管理するＰＤＳＮに対する典型的な処理論理の線図である。
【図６】タイマ・クオリフィケーションされる２つの選択的に更新される追跡変数を使用してパケットデータリンク再ネゴシエーションを管理するＰＤＳＮに対する典型的な処理論理の線図である。
【図７】図５および６のＰＤＳＮ処理を補足するＰＣＦに対する典型的な処理論理の線図である。
【図８】図５に対応する典型的な処理論理詳細の線図である。
【図９】図５に対応する別の典型的な処理論理詳細の線図である。
【図１０】ＢＳＣが移動局に対する典型的なパケットゾーン追跡変数を使用する、それぞれ、ＢＳＣおよびＰＣＦに対する典型的な処理論理詳細の線図である。
【図１１】ＢＳＣが移動局に対する典型的なパケットゾーン追跡変数を使用する、それぞれ、ＢＳＣおよびＰＣＦに対する典型的な処理論理詳細の線図である。
【図１２】図１０および１１の処理を補足するＰＤＳＮに対する典型的な処理論理の線図である。
【図１３】本発明の１つ以上の実施例の状況における典型的なパケットゾーン識別子（ＡＮＩＤ）情報フローおよび追跡変数記憶装置の線図である。
【図１４】本発明の１つ以上の実施例に従った、ＰＤＳＮ，ＰＣＦおよびＢＳＣに対する典型的な機能的処理回路の線図である。
【図１】
2007500493.tif 000003
【図２】
2007500493.tif 000004
【図３】
2007500493.tif 000005
【図４】
2007500493.tif 000006
【図５】
2007500493.tif 000007
【図６】
2007500493.tif 000008
【図７】
2007500493.tif 000009
【図８】
2007500493.tif 000010
【図９】
2007500493.tif 000011
【図１０】
2007500493.tif 000012
【図１１】
2007500493.tif 000013
【図１２】
2007500493.tif 000014
【図１３】
2007500493.tif 000015
【図１４】
2007500493.tif 000016
【国際調査報告】
2007500493.tif 000017
2007500493.tif 000018
2007500493.tif 000019